(57)【特許請求の範囲】
【請求項１】
システム（２００、５００、６００）、具体的には供給システム（２００、５００、６００）、であって、
−  少なくとも１つの物理的供給チャネルネットワーク（２０２、３０２、５０２、６０２）に接続可能な第１のエンティティ（２０４、３０４、５０４、６０４．１）と、
−  前記物理的供給チャネルネットワーク（２０２、３０２、５０２、６０２）に接続可能な少なくとも１つの更なるエンティティ（２０６、５０６、５６４、５６６、５６８、５７０、５７２、６０６．２、６６４．１、６６６．１、６６８．２、６７０．２、６７２．２）と、
−  ピアツーピア・アプリケーション（２２４、４２４）を提供するように構成される少なくとも１つのピアツーピア・ネットワーク（２２２、５２２、６２２）と、
を備え、
−  前記第１のエンティティ（２０４、３０４、５０４、６０４．１）は、前記ピアツーピア・ネットワーク（２２２、５２２、６２２）に接続可能な少なくとも１つの更なる通信デバイス（２２０．１、３２０）を備え、
−  前記他のエンティティ（２０６、５０６、５６４、５６６、５６８、５７０、５７２、６０６．２、６６４．１、６６６．１、６６８．２、６７０．２、６７２．２）は、前記ピアツーピア・ネットワーク（２２２、５２２、６２２）に接続可能な少なくとも１つの通信デバイス（２２０．２）を備え、
−  前記通信デバイス（２２０．１、２２０．２、３２０）のうちの少なくとも１つは、供給媒体取引契約を生成する命令を備えるメッセージを送ることによって、前記ピアツーピア・アプリケーション（２２４、４２４）を使用して、前記第１のエンティティ（２０４、３０４、５０４、６０４．１）と前記更なるエンティティ（２０６、５０６、５６４、５６６、５６８、５７０、５７２、６０６．２、６６４．１、６６６．１、６６８．２、６７０．２、６７２．２）との間の供給媒体の物理的交換に関する供給媒体取引契約の生成を引き起こすように少なくとも構成され、
−  前記通信デバイス（２２０．１、２２０．２、３２０）のうちの少なくとも１つは、前記通信デバイス（２２０．１、２２０．２、３２０）の前記それぞれのエンティティ（２０４、３０４、５０４、６０４．１、２０６、５０６、５６４、５６６、５６８、５７０、５７２、６０６．２、６６４．１、６６６．１、６６８．２、６７０．２、６７２．２）用に作成された供給媒体計画に基づいて、供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージを生成するように構成される、
システム（２００、５００、６００）。
【請求項２】
−  前記ピアツーピア・アプリケーション（２２４、４２４）は分散型レジスタ（２２４、４２４）であり、
−  前記分散型レジスタ（２２４、４２４）は、前記ピアツーピア・ネットワーク（２２２、５２２、６２２）の参加体の少なくとも一部によって読み取り可能である、
ことを特徴とする請求項１に記載のシステム（２００、５００、６００）。
【請求項３】
前記ピアツーピア・ネットワーク（２２２、５２２、６２２）における各コンピュータは、前記ピアツーピア・アプリケーション（２２４、４２４）を備えることを特徴とする請求項１又は２に記載のシステム（２００、５００、６００）。
【請求項４】
前記ピアツーピア・アプリケーション（２２４、４２４）は、暗号化手段及び／又は署名手段及び／又は確認手段を備え、前記暗号化手段及び／又は署名手段及び／又は確認手段のうちの少なくとも１つの手段は、少なくとも、生成された各供給媒体取引契約を格納するように構成されることを特徴とする請求項１〜３の何れか１項に記載のシステム（２００、５００、６００）。
【請求項５】
前記ピアツーピア・アプリケーション（２２４、４２４）は、互いに接続される少なくとも２つのブロック（４４６、４４８、４５０）を備えるブロックチェーン（２２４、４２４）であることを特徴とする請求項１〜４の何れか１項に記載のシステム（２００、５００、６００）。
【請求項６】
−  エンティティ（２０４、３０４、５０４、６０４．１、２０６、５０６、５６４、５６６、５６８、５７０、５７２、６０６．２、６６４．１、６６６．１、６６８．２、６７０．２、６７２．２）の接続（２０８、３０８）を介して、前記物理的供給チャネルネットワーク（２０２、３０２、５０２、６０２）に移動される供給媒体量を記録するように構成される少なくとも１つの計量デバイス（３３０）が設けられることができ、
−  通信デバイス（２２０．１、２２０．２、３２０）は、測定された供給媒体量を前記ピアツーピア・アプリケーション（２４２、４２４）に送信するように構成される、
ことを特徴とする請求項１〜５の何れか１項に記載のシステム（２００、５００、６００）。
【請求項７】
前記通信デバイス（２２０．１、２２０．２、３２０）は、供給媒体取引契約で指定された少なくとも１つの取引基準及び前記測定された供給媒体量に基づいて、取引基準取引の生成を引き起こすように構成されることを特徴とする請求項６に記載のシステム（２００、５００、６００）。
【請求項８】
システム（２００、５００、６００）、具体的には請求項１〜７の何れか一項に記載のシステム（２００、５００、６００）、を動作させる方法であって、前記システム（２００、５００、６００）は、少なくとも１つの物理的供給チャネルネットワーク（２０２、３０２、５０２、６０２）に接続可能な第１のエンティティ（２０４、３０４、５０４、６０４．１）と、前記物理的供給チャネルネットワーク（２０２、３０２、５０２、６０２）に接続可能な少なくとも１つの更なるエンティティ（２０６、５０６、５６４、５６６、５６８、５７０、５７２、６０６．２、６６４．１、６６６．１、６６８．２、６７０．２、６７２．２）と、ピアツーピア・アプリケーション（２２４、４２４）を提供するように構成される少なくとも１つのピアツーピア・ネットワーク（２２２、５２２、６２２）と、を備える、方法であって、
−  供給媒体取引契約を生成する命令を備えるメッセージを送ることによって、前記ピアツーピア・アプリケーション（２２４、４２４）を使用して、前記第１のエンティティ（２０４、３０４、５０４、６０４．１）と前記他のエンティティ（２０６、５０６、５６４、５６６、５６８、５７０、５７２、６０６．２、６６４．１、６６６．１、６６８．２、６７０．２、６７２．２）との間の供給媒体の前記物理的交換に関する少なくとも１つの供給媒体取引契約の生成を引き起こすステップを備え、
−  供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージは、前記通信デバイス（２２０．１、２２０．２、３２０）の前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）のうちの少なくとも１つ用に作成された供給媒体計画に基づいて生成される、
方法。
【請求項９】
少なくとも１つの物理的供給チャネルネットワーク（２０２、３０２、５０２、６０２）に接続可能な第１のエンティティ（２０４、３０４、５０４、６０４．１）用の通信デバイス（２２０．１、２２０．２、３２０）であって、
−  ピアツーピア・アプリケーション（２２４、４２４）を提供するピアツーピア・ネットワーク（２２２、５２２、６２２）と通信するように構成される少なくとも１つの通信モジュール（３４２）を備え、
−  前記通信モジュール（３４２）は、供給媒体取引契約を生成する命令を備えるメッセージを送ることによって、前記ピアツーピア・アプリケーション（２２４、４２４）を使用して、前記第１のエンティティ（２０４、３０４、５０４、６０４．１）と更なるエンティティ（２０６、５０６、５６４、５６６、５６８、５７０、５７２、６０６．２、６６４．１、６６６．１、６６８．２、６７０．２、６７２．２）との間の供給媒体の前記物理的交換に関する供給媒体取引契約の生成を引き起こすように構成され、
−  前記通信デバイス（２２０．１、２２０．２、３２０）は、前記通信デバイス（２２０．１、２２０．２、３２０）の前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）用に作成された供給媒体計画に基づいて、供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージを生成するように構成される、
通信デバイス（２２０．１、２２０．２、３２０）。
【請求項１０】
少なくとも１つの物理的供給チャネルネットワーク（２０２、３０２、５０２、６０２）に接続可能な第１のエンティティ（２０４、３０４、５０４、６０４．１）用の通信デバイス（２２０．１、２２０．２、３２０）を動作させる方法であって、
−  供給媒体取引契約を生成する命令を備えるメッセージを送ることによって、ピアツーピア・アプリケーション（２２４、４２４）を使用して、前記第１のエンティティ（２０４、３０４、５０４、６０４．１）と更なるエンティティ（２０６、５０６、５６４、５６６、５６８、５７０、５７２、６０６．２、６６４．１、６６６．１、６６８．２、６７０．２、６７２．２）との間の供給媒体の前記物理的交換に関する供給媒体取引契約の生成を引き起こすステップと、
−  前記通信デバイス（２２０．１、２２０．２、３２０）の前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）用に作成された供給媒体計画に基づいて、供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージを生成するステップと、
を伴う方法。
【請求項１１】
−  物理的供給チャネルネットワーク（２０２、３０２、５０２、６０２）に接続可能な第１のエンティティ（２０４、３０４、５０４、６０４．１）の通信デバイス（２２０．１、２２０．２、３２０）から供給媒体取引契約を生成する命令を備える少なくとも１つのメッセージを受信する手段であって、前記第１のエンティティ（２０４、３０４、５０４、６０４．１）からの前記メッセージは、前記第１のエンティティ（２０４、３０４、５０４、６０４．１）と更なるエンティティ（２０６、５０６、５６４、５６６、５６８、５７０、５７２、６０６．２、６６４．１、６６６．１、６６８．２、６７０．２、６７２．２）との間の供給媒体の前記物理的交換に関する供給媒体取引契約の前記生成を引き起こすことができる、手段と、
−  前記メッセージを受信すると前記供給媒体取引契約を生成する手段と、
を備え、
−  前記通信デバイス（２２０．１、２２０．２、３２０）の前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）用に作成された供給媒体計画に基づいて、供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージが受信される、
ピアツーピア・アプリケーション（２２４、４２４）。
【請求項１２】
−  物理ネットワーク（２０２、３０２、５０２、６０２）に接続可能な第１のエンティティ（２０４、３０４、５０４、６０４．１）の通信デバイス（２２０．１、２２０．２、３２０）から供給媒体取引契約を生成する命令を備える少なくとも１つのメッセージを受信するステップであって、前記第１のエンティティ（２０４、３０４、５０４、６０４．１）からの前記メッセージは、前記第１のエンティティ（２０４、３０４、５０４、６０４．１）と更なるエンティティ（２０６、５０６、５６４、５６６、５６８、５７０、５７２、６０６．２、６６４．１、６６６．１、６６８．２、６７０．２、６７２．２）との間の供給媒体の前記物理的交換に関する供給媒体取引契約の前記生成を引き起こすことができる、ステップと、
−  前記メッセージを受信すると前記供給媒体取引契約を生成するステップと、
を備え、
−  前記通信デバイス（２２０．１、２２０．２、３２０）の前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）用に作成された供給媒体計画に基づいて、供給媒体量指標、期間、及び／又は少なくとも１つの取引基準を備える少なくとも１つの照会メッセージ並びに／あるいは供給媒体量指標、期間、及び／又は少なくとも１つの取引基準を備える少なくとも１つの受諾メッセージが受信される、
ピアツーピア・アプリケーション（２２４、４２４）を動作させる方法。
【発明の詳細な説明】
【技術分野】
【０００１】
本発明は、少なくとも１つの物理的供給チャネルネットワークに接続可能な第１のエンティティと、物理的供給チャネルネットワークに接続可能な少なくとも１つの更なるエンティティと、を備えるシステム、具体的には供給システム、に関する。本発明は更に、方法、通信デバイス、及びピアツーピア・アプリケーションに関する。
【背景技術】
【０００２】
供給媒体をエンティティに供給するシステムは当該技術分野において知られている。供給システムの非網羅的な例は、給電ネットワーク、ガス供給ネットワーク、給水ネットワーク、及び地域暖房ネットワークである。
【０００３】
全ての供給システムは、本出願では、供給ネットワークにおける少なくとも１つの供給媒体が、少なくとも１つの物理的、具体的にはグリッドベースの、供給チャネルネットワークを介して移動されることを特徴とする。供給媒体の非網羅的な例は、電流又は電力、淡水、廃水、又は灌漑用水などの水、天然ガス又は類似の（可燃性）ガスなどのガス媒体、例えば熱気の形態での温熱、及び例えば冷気の形態での冷熱である。
【０００４】
物理的供給チャネルネットワークは、少なくとも物理的グリッドベースの供給チャネルを備えることができる。少なくとも１つの物理的供給チャネルネットワークは、電気ネットワークなどの給電システムの場合、電気ライン、好ましくは複数の電気エネルギーラインとすることができる。更に、ガス、熱、又は水供給システムなどの他の供給システムと共に、物理的、具体的にはグリッドベースの、供給チャネルネットワークは、例えば、パイプライン、具体的にはパイプラインのネットワーク、の形態で、少なくとも１つの流体ラインから形成されることができる。
【０００５】
供給チャネルネットワークは、別個の孤立したネットワークなどの、少なくとも部分的に公共供給チャネルネットワーク及び／又は少なくとも部分的に民間供給チャネルネットワークとすることができる。
【０００６】
供給システムの少なくとも１つの物理的供給チャネルネットワークは、具体的には、少なくとも２つのエンティティを互いに接続することができる。例示的な給電システムでは、少なくとも１つの電気消費体を備える少なくとも第１のエンティティは、少なくとも１つの電気生成体を備える別のエンティティに接続されることができる。消費体は、供給チャネルネットワーク内の物理的チャネルを介して、生成体によって電力を供給されることができる。
【０００７】
全ての従来技術の供給システムに共通しているのは、更に、中央サブシステム、中央処理、及び／又は中央機構もしくは中央インスタンスが、第１のエンティティとの供給媒体取引契約及び更に他のエンティティとの供給媒体取引契約の両方を生成するために、設けられているということである。換言すれば、供給媒体の購入及び販売は中央インスタンスによって中央制御されている。供給媒体の売買は専ら中央インスタンス又は場合によっては更なる中央インスタンスを介して行われる。
【０００８】
技術的に言えば、対応する供給システムは、先端技術に従って、クライアント−サーバ構造によって実現される。中央機構又は中央インスタンスは、１つ又は複数の中央サーバによって作成される。この種のサーバ又はプラットフォームは分散され、例えば、様々なコンピューティングデバイス上に配置されることができる。これは、仮想サーバがクラウドによって実現されることができることを意味する。例えば、中央に置かれるデータベースが提供されることができる。しばしばプラットフォームとも呼ばれるこの種のデータベースの先端技術の例は、市場データベースもしくはクラウドプラットフォーム、配送履行データベースもしくはクラウドプラットフォーム、又は課金システムもしくはクラウドサービスである。具体的には、中央インスタンスは、柔軟な媒体で注文するかもしくは売買する、課金処理を実行する、支払を監視する、及び／又はポートフォリオを管理するように構成されることができる。具体的には、供給媒体取引契約における中央サーバは、少なくとも２つのエンティティに対して秘密インスタンスとして使用される。サーバ又はプラットフォームなどの中央インスタンスはルールを定義する。これらの供給媒体取引契約は中央サーバによって実行されるので、処理は、関与する全てのエンティティ（消費体、生成体など）に対して正しく実行されることが保証される。言い換えれば、中央インスタンスは参加エンティティ及び／又は第三者のうちの１つによる改ざんを防止する。
【０００９】
給電ネットワークの例に基づいて、典型的な従来技術の供給システム１００が図１を用いて説明される。図１は、従来技術の供給システム１００の例示的な実施形態を示す。示されている供給システム１００は少なくとも１つの物理的供給チャネルネットワーク１０２を備える。物理的供給チャネルネットワーク１０２は、例えば地中接続及び／又は地上接続などの１つ又は複数の電気ラインである。更に、物理的供給チャネルネットワーク１０２は変圧器デバイス（図示せず）などを備えることができる。
【００１０】
第１のエンティティ１０４及び更なるエンティティ１０６は、電気接続１０８を介して物理的供給チャネルネットワーク１０２に接続される。接続１０８は、電流又は電力の双方向交換用に構成されることができる。例えば、第１のエンティティ１０４は１つ又は複数の電気消費体１１０を備える家１０４とすることができる。従って、第１のエンティティ１０４はまた消費体１０４と呼ぶことができる。消費体１０４は、対応する接続１０８を介して供給システム１００から、具体的には物理的供給チャネルネットワーク１０２から、電力を取得することができる。
【００１１】
更なるエンティティ１０６、例えば家１０６は、少なくとも１つの消費体１１２に加えて、例えば光起電デバイス１１４の形態での生成体１１４を有することができる。従って、更なるエンティティ１０６は生成体及び消費体である。この種のエンティティ１０６は生成消費体（生成体及び消費体）１０６と呼ぶことができる。生成消費体１０６は、対応する接続１０８を介して供給システム１００から、具体的には物理的供給チャネルネットワーク１０２から、電力を取得することができる又は電力を供給システム１００に、具体的には物理的供給チャネルネットワーク１０２に、供給することができる。
【００１２】
更に、中央サーバ、具体的には中央管理サーバ１１６、が提供されることができる。中央管理サーバ１１６は供給システム１００を管理するように構成される。サーバ１１６は、通信接続１１８、例えばインターネット接続、を介して、又は手動データ読み取りによって少なくとも２つのエンティティ１０４、１０６と通信することができる。具体的には、各エンティティ１０４、１０６はクライアントデバイス（図示せず）を有することができる。
【００１３】
これは、中央管理サーバ１１６が、第１のエンティティ１０４のクライアントデバイスからの照会メッセージに基づいて、将来の期間の供給媒体量の交換、具体的には配送、に関する管理サーバ１１６と第１のエンティティ１０４との間の供給媒体取引契約を生成することができることを意味する。更に、対応する方法で、供給媒体の交換、例えば受納、に関して、管理サーバ１１６と更なるエンティティ１０６との間で供給媒体取引契約を生成することができる。次いで、供給媒体は、物理的供給チャネルネットワーク１０２を介して更なるエンティティから第１のエンティティ１０４に移動されることができる。このように、供給媒体取引契約はエンティティ１０４、１０６の間で間接的に生成される。代替的に、中央サーバ１１６を使用して、供給媒体取引契約はエンティティ１０４、１０６の間で生成されることができる。実際に交換された供給媒体の量に基づく後の課金も、中央インスタンス１１６によって実行されることができる。例えば、それぞれのエンティティ１０４、１０６のメータは、サーバ１１６から読み出され、分析され、次いで分析に従って課金されることができる。
【発明の概要】
【発明が解決しようとする課題】
【００１４】
高い取引コストは別として、この種のサーバ−クライアント構造、特にサーバ（又はプラットフォーム）、の欠点は、中央インスタンス又は中央サーバが顧客データを管理することである。中央インスタンスを冒す永続的な問題は、１つのサーバ／複数のサーバに格納されている顧客データを、権限のない第三者によるアクセスから保護するという問題である。具体的には、高度のセキュリティの支出が、顧客データ、課金データ、予測データなどが改ざんされることを防止するために必要とされる。これは、結果としてより高い取引コストをもたらす。
【００１５】
従って、本発明の目的は、供給媒体取引契約の生成を簡素化すると同時に、高レベルのセキュリティを提供する供給システムを動作させるシステム、通信デバイス、及び方法を提供することである。
【課題を解決するための手段】
【００１６】
この目的は、請求項１に記載のシステム、具体的には供給システム、によって本発明の第１の態様に従って解決される。システムは、少なくとも１つの物理的供給チャネルネットワークに接続可能な第１のエンティティを備える。システムは、物理的供給チャネルネットワークに接続可能な少なくとも１つの更なるエンティティを備える。システムは、ピアツーピア・アプリケーションを提供するように構成される少なくとも１つのピアツーピア・ネットワークを備える。第１のエンティティは、ピアツーピア・ネットワークに接続可能な少なくとも１つの通信デバイスを備える。他のエンティティは、ピアツーピア・ネットワークに接続可能な少なくとも１つの更なる通信デバイスを備える。通信デバイスのうちの少なくとも１つは、少なくとも、ピアツーピア・アプリケーションを使用して、第１のエンティティと更なるエンティティとの間の供給媒体の物理的交換に関する供給媒体取引契約の生成を引き起こすように構成される。
【００１７】
最先端技術とは対照的に、供給媒体取引契約は、本発明によれば中央インスタンスなしに２つのエンティティ間で容易に生成され、本発明では、中央サーバ又はプラットフォームの代わりに、ピアツーピア・ネットワーク（フレームワークとも呼ばれる）が、ピアツーピア・アプリケーションを使用して供給媒体取引契約の改ざんを防止した生成を引き受ける。ピアツーピア・ネットワークでは、高いセキュリティ基準は、ネットワーク内の全てのコンピュータ（ピアノード）が、少なくともネットワーク内のピアコンピュータの一部が、供給媒体取引契約の正確さを監視するということで達成される。取引コストは大幅に削減されることができる。中央の、又は上位のプラットフォーム、サーバ、クラウドなどは不要である。
【００１８】
本発明によるシステムは、供給チャネルネットワークに接続可能な少なくとも２つのエンティティ間に少なくとも１つの供給媒体を移動する供給チャネルネットワークによって特徴付けられる。システム、具体的には供給システム、の非網羅的な例は、給電ネットワーク、ガス供給ネットワーク、給水ネットワーク、及び地域暖房ネットワークである。
【００１９】
供給システムのタイプに応じて、電流又は電力、淡水、廃水、又は灌漑用水などの水、天然ガス又は類似の（可燃性）ガスなどのガス媒体、例えば熱気の形態での温熱、及び／又は例えば冷気の形態の冷熱は、適切な物理的、具体的にはグリッドベースの、供給チャネルネットワークを介して供給媒体として移動又は交換されることができる。
【００２０】
供給チャネルネットワークは、少なくとも部分的には公共供給チャネルネットワーク及び／又は少なくとも部分的には民間供給チャネルネットワークとすることができる。例えば、ネットワークは、供給システム内のエンティティ（のみ）のための別個のマイクログリッド又は仮想マイクログリッドとすることができる。ネットワークは好ましくは公共ネットワークとすることができる。
【００２１】
具体的には、少なくとも第１のエンティティ及び更なるエンティティは、各々、少なくとも、適切な接続を介して物理的供給チャネルネットワークに接続されることができる。接続は物理的供給チャネルネットワークに対応し、例えば、電気ライン又は流体接続とすることができる。供給システムは３つ以上のエンティティを備えることができることが理解されるべきである。この場合における供給ネットワークは、少なくとも１つのエンティティが供給媒体を生成し、好ましくはそれを物理的供給チャネルネットワークに属するラインに供給することができ、且つ少なくとも１つのエンティティが供給媒体を物理的供給チャネルネットワーク内のラインから受け取り、好ましくはそれを消費することができる供給システムを意味すると特に理解されるべきである。このような供給ネットワークでは、供給される量及び除去される量が互いに均衡することが望ましい。具体的には、この場合における供給チャネルネットワークは、それが限定された容量を有することを特徴とする。
【００２２】
エンティティは、供給媒体を、物理的供給チャネルネットワークを介して少なくとも１つの更なるエンティティと交換するように構成されることができる。原理的には、供給システムは、それらが物理的供給チャネルネットワークに接続されているという条件で、様々な種類のエンティティを備えることができる。エンティティは、例えば、建物、アパートなどの建物の一部、単一の（インテリジェントな）ユニットもしくは機械、又はビジネスなどとすることができる。
【００２３】
中央サーバ、プラットフォームなどなしに供給媒体の物理的交換を引き起こすために、エンティティのうちの少なくとも１つは、ピアツーピア・ネットワークを使用して供給媒体の物理的交換に関する供給媒体取引契約の生成を引き起こすように構成されることができる。この目的のために、各エンティティは、好ましくは少なくとも１つの通信デバイスを備える。通信デバイスは、コンピュータなどのコンピューティングデバイス、モバイルユニット、テレビ、テレビセットなどの別のユニットのコンピューティングメカニズム、又はこれらのユニットのうちの１つの少なくとも一部とすることができる。通信デバイスは、ハードウェア及び／又はソフトウェアモジュールとすることができる。
【００２４】
通信デバイスは、ピアツーピア・ネットワーク又はコンピュータ−コンピュータ・ネットワークと通信するように構成される。サーバがサービスを提供し、クライアントがこのサービスを使用するクライアント−サーバ・ネットワークと比較すると、ピアツーピア・ネットワークでは、この役割の割り当ては除外される。ピアツーピア・ネットワークにおける各参加体は、サービスを使用することができ、且つそれ自体でサービスを提供することができる。具体的には、ピアツーピア・ネットワークは、（上位ユニットがなく）自己決定的及び／又は自己組織的である。この場合、ピアツーピア・ネットワーク内の各コンピュータは、好ましくはピアツーピア・アプリケーションを有する。通信デバイスは、ピアツーピア・ネットワーク内のノードとすることができるか又は単にピアツーピア・ネットワークとの通信のためのインタフェースモジュールを提供することができる。
【００２５】
ピアツーピア・ネットワークは、少なくとも１つの供給媒体取引契約を生成するように構成される少なくとも１つのピアツーピア・アプリケーションを提供するように構成される。ピアツーピア・アプリケーションは、ピアツーピア・アプリケーション又はピアツーピア・アプリケーションのデータの内容が、ピアツーピア・ネットワーク内の全ての参加体によってアクセスされることができ且つ具体的には制御されることができることを特徴とする。２つ以上の、特に異なる、ピアツーピア・アプリケーションが提供されることができることが理解されるべきである。
【００２６】
供給媒体取引契約は、具体的には、少なくとも２つの参加エンティティに関するデータ、例えばピアツーピア・ネットワークの少なくとも全参加体に知られているエンティティ・アドレスなどのユニークなＩＤ及び／又はハッシュコード、交換される供給媒体の量、交換の期間、及び／又は少なくとも１つの取引基準を含むことができる。デジタル署名及び／又はハッシュ関数などの適切な検査及び／又は検証アルゴリズムを介して、生成された供給媒体取引契約の正確さ及び／又は不変性は、特に、ピアツーピア・ネットワーク内のコンピュータの累積処理能力によって保証されることができる。
【００２７】
通信デバイスのうちの少なくとも１つ、好ましくは全ての通信デバイスは、例えば、供給媒体取引契約の生成に関する命令を備えるメッセージを送信することによって、２つのエンティティ間の供給媒体取引契約の生成を引き起こすか又は開始するように構成される。具体的には、メッセージの送信体及び／又はメッセージの信ぴょう性を確認するための適切なコード及び、必要な場合には、少なくとも１つの鍵は、通信デバイスによってピアツーピア・アプリケーションに送信されるか又はピアツーピア・アプリケーションに書き込まれることができる。好ましくは、確認メッセージの送信体を確認するための適切な命令及び、必要の場合には、少なくとも１つの鍵を備える更なるエンティティからの確認メッセージに続いて、対応する供給媒体取引契約は、有利にも、ピアツーピア・アプリケーションのピアツーピア・ネットワークによるチェックの後に生成されることができる。簡単に言えば、各エンティティは、ピアツーピア・ネットワーク又はピアツーピア・アプリケーションを使用して供給媒体の交換のために１つ又は複数の適切なパートナーを検索することができ、供給媒体取引契約はピアツーピア・アプリケーションを使用して生成されることができる。
【００２８】
全ての参加体又はエンティティのリストは、好ましくは、各参加体に、具体的には供給システムの各エンティティに、識別子として、例えば通信アドレスの形態で、知られることができる。
【００２９】
供給媒体取引契約の生成に続いて、供給媒体はエンティティ間で適宜に交換されることができる。例えば、物理的供給チャネルネットワークを使用して第１のエンティティから他のエンティティに又は他のエンティティから第１のエンティティに移動されることができる。
【００３０】
本発明によるシステムの第１の実施形態によれば、ピアツーピア・アプリケーションは、分散型レジスタとすることができる。分散型レジスタは、ピアツーピア・ネットワークの少なくとも各参加体によって読み取り可能とすることができる。具体的には、ピアツーピア・ネットワーク内の全ての通信デバイス及び他の全てのコンピュータは、好ましくは、レジスタとして作成されたピアツーピア・アプリケーション内の全ての情報を読み取ることができる。ピアツーピア・ネットワーク内の全ての通信デバイス及び全ての他のコンピュータは、好ましくは、ピアツーピア・アプリケーションにメッセージを送信するか又はそれに書き込むことができる。情報は、好ましくは、全ての参加体に対して容易にアクセス可能にされることができる。これは、分散型レジスタに格納される情報のチェックの実施を可能にする。具体的には、ピアツーピア・ネットワーク内の各コンピュータは、好ましくは、具体的にはピアツーピア・アプリケーションに格納されたより古い情報に基づいて、新しい情報のチェックを実行するように構成されることができる。
【００３１】
更に、本発明によるシステムの更なる実施形態によれば、ピアツーピア・ネットワーク内の各コンピュータ又はノードは、ピアツーピア・アプリケーションを有することができる。各コンピュータは、好ましくは、ピアツーピア・アプリケーション、具体的には分散型レジスタ、の全データコンテンツ、少なくともデータコンテンツの一部分だけ、を備えることができる。
【００３２】
例えば、ピアツーピア・アプリケーションに書き込まれた新しい情報の肯定的な確認の後、この情報は、全てのコンピュータによって、少なくともコンピュータの一部によって、格納されることが提供されることができる。これにより、改ざんに対する保護を更に向上させることができる。
【００３３】
改ざん防止方法で新しい情報を格納するために、ピアツーピア・アプリケーションは、例えば適切なハッシュ関数などの暗号化手段及び／又は署名手段及び／又は確認手段を含むことができる。上述の手段のうちの少なくとも１つの手段は、具体的には、少なくとも生成された各供給媒体取引契約を格納するように構成されることができる。具体的には、ハッシュ関数を用いて、分散型レジスタに格納された少なくとも１つの前の情報を有するチェーンが生成されることが提供されることができる。エンティティの照会、マスタデータ、コンテキスト、及び／又は取引データなどの更なるデータが格納されることができる。
【００３４】
特に好ましい実施形態では、ピアツーピア・アプリケーションは、互いに接続される少なくとも２つのブロックを備えるブロックチェーンとすることができる。ブロックチェーン技術又は分散型台帳技術は、ビットコインなどの暗号通貨を使用して支払いに既に使用されている。特別な構成により、ブロックチェーンは、特に改ざん防止の方法で、２つのエンティティ間の少なくとも１つの供給媒体取引契約を生成するように構成されることができることが認識されている。本実施形態によるブロックチェーンは、具体的には、全ての供給媒体取引契約及びエンティティからの他のメッセージを記録することができる分散型ピアツーピアベースのレジスタである。ブロックチェーンは、簡単で且つ同時に安全な方法で中央インスタンスを置き換える技術的手段として特に適している。
【００３５】
更に、通信デバイスは、通信デバイスのエンティティ用に作成された供給媒体計画に基づいて少なくとも１つの照会メッセージ及び／又は少なくとも１つの受諾メッセージを生成するように構成されるということが、システムの実施形態に従って提供されることができる。供給媒体計画は、好ましくは、各エンティティに対して作成されることができる。供給媒体計画は、この場合に、供給媒体の需要及び／又は供給に関連して少なくとも１つの将来の期間にわたって、特に各エンティティに対して個別の予測を備えることを特徴とする。エンティティは、供給媒体計画を作成するために、適切な手段を備えることができるか又は前記手段に接続可能とすることができる。例えば、供給媒体計画の作成は、供給媒体の過去の需要／供給に関する履歴データ、気象データなどの（外部の）予測データ、及び／又はカレンダーデータ、個人の滞在（居住者の帰宅するとき及び／又はビジネスが処理を開始するときの予測を含む）、バッテリなどの貯蔵装置に関連する容量データなどのユーザ明細事項に基づくとすることができる。（最適化された）供給媒体計画の作成は、具体的には、エンティティによって、好ましくは少なくとも１つのピアツーピア・アプリケーションと通信するローカルアプリケーションによって構成されることができる。例えば、ガス供給システムの場合、供給媒体計画の作成は、エンティティによるガスの消費履歴に基づくとすることができる。更に、例えば天気予報及び気温データが考慮されることができる。同様に、他の種類の供給システム関して、供給媒体計画が作成されることができる。供給媒体計画に基づいて、エンティティの通信デバイスは、照会メッセージをピアツーピア・ネットワークに、具体的には前述のピアツーピア・アプリケーションに、送信することができる。各エンティティ又はそれに割り当てられた通信デバイスは、好ましくは、送信された情報を読み取ることができる。１つの実施形態では、通信デバイスは、（それ自身の）供給媒体計画及び特に更なるエンティティの照会メッセージに基づいて、受諾メッセージを生成することができ、且つ、具体的には、それを、先に説明したピアツーピア・アプリケーションなどのピアツーピア・ネットワークに送信することができる。少なくとも２つのエンティティに対する実質的に最適な供給媒体取引契約は、ピアツーピア・ネットワーク及びピアツーピア・アプリケーションを使用して容易に準備されることができる。
【００３６】
好ましい実施形態では、照会メッセージは、供給媒体量指標、期間、及び／又は少なくとも１つの取引基準を備えることができる。照会メッセージは、有利にも、少なくとも前述のデータエントリを備えることができる。更に、ピアツーピア・ネットワークの各参加体に知られている固有のアドレスなどの送信体識別子、タイムスタンプ、更なる取引基準などが照会メッセージに含まれることができる。代替的に又はそれに加えて、受諾メッセージは、供給媒体量指標、期間、及び／又は少なくとも１つの取引基準を備えることが提供されることができる。受諾メッセージは、好ましくは、少なくとも前述のデータエントリ及び、具体的には、別のエンティティからの照会メッセージへの参照を有することができる。その上、ピアツーピア・ネットワークの各参加体に知られている固有のアドレスなど送信体の識別子、タイムスタンプ、更なる取引基準などが受諾メッセージに更に含まれることができる。
【００３７】
２つのエンティティ間で生成された供給媒体取引契約に従って供給媒体の正しい交換を保証するために、エンティティの接続を介して物理的供給チャネルネットワークに移動される供給媒体の量を記録するように構成される少なくとも１つの計量デバイスが設けられることができる。各エンティティは、好ましくは、対応する計量デバイスを有するか又は少なくともそれに接続可能とすることができる。計量デバイスは、具体的には、例えば、ガスメータ、電気メータ、流量メータなどのスマートメータとすることができる。供給媒体の量は好ましくは経時的に測定されることができる。これは、所与の時間にわたって移動された、すなわち供給された又は除去された、供給媒体の量を測定することを可能にする。通信デバイスは、測定された供給媒体量をピアツーピア・アプリケーションに転送するように構成されることができる。例えば、通信リンクが、通信デバイスとエンティティに割り当てられた少なくとも１つの計量デバイスとの間に設けられることができる。通信デバイスは、好ましくは、供給媒体取引契約に応じて、契約で指定された期間にわたって測定された供給媒体量をピアツーピア・アプリケーションに送信することができる。他のエンティティは、好ましくは、供給媒体量を対応する方法で記録し、それをピアツーピア・アプリケーションに送信することができる。ピアツーピア・アプリケーションに送信された情報、具体的には実際に供給された及び／又は受け取られた供給媒体の量、のチェックは、例えば、上述のように、その後ピアツーピア・ネットワークによって実行されることができる。供給媒体の正確な物理的交換は中央インスタンスなしで容易に保証されることができる。エンティティ又は第三者による改ざんは防止されることができる。
【００３８】
通信デバイスは、好ましくは、先に説明したように、実際に供給された及び／又は受け取られた供給媒体の量の肯定的なチェックに応じて、少なくとも供給媒体取引契約及び供給媒体の測定量で規定される取引基準に基づいて、取引基準取引の生成を引き起こすように構成されることができる。例えば、特に暗号通貨の所与の量は取引基準として指定されることができる。供給媒体の供給が供給媒体取引契約に従って行われた場合、指定された量は、取引基準取引の枠内で、ピアツーピア・ネットワーク、具体的にはピアツーピア・アプリケーション、を使用して他のエンティティに移動されることができる。上記のものと同様の方法で、エンティティの固有の鍵はまた、この取引の確認に使用されることができる。鍵及び特にエンティティによる実際の所有量は、例えば、上記のように、ピアツーピア・ネットワークによってチェックされることができる。安全な支払いは、中央インスタンスなしでピアツーピア・ネットワークを使用して行われることができる。取引コストを更に削減することができる。
【００３９】
供給チャネルネットワークの場合、供給媒体の需要及び供給が（実質的に）均衡されることが、供給チャネルネットワークの安全な動作に必要である可能性がある。しかしながら、１つ又は複数の照会メッセージがエンティティによって履行されることができないことが起きる可能性がある。例えば、それは、エンティティによる供給媒体の需要が他のエンティティによって満たされることができないということである可能性がある。それはまた、エンティティが、別のエンティティによって提供される供給媒体の量を消費することができないということである可能性がある。これは、危機的なネットワーク状態が供給チャネルネットワークで起きる可能性があることを意味する。従って、供給システムの安全で且つ安定した動作を保証するために、更なる実施形態によれば、供給システムは、ピアツーピア・アプリケーションを使用して、均衡エンティティが、照会メッセージが履行されない全てのエンティティとのそれぞれの供給媒体取引契約の生成を引き起こすように構成されることができる。言い換えれば、均衡エンティティは、供給媒体需要を満たし且つ供給媒体の提供を受け入れるように構成されることができる。均衡エンティティは、ガス供給会社、エネルギー供給会社などのような供給媒体会社とすることができる。供給システムに均衡エンティティを設けることによって、供給媒体の需要及び供給が（実質的に）均衡されることができるということを保証することが可能である。更に、ピアの均衡エンティティは、ネットワーク事業者又はピアツーピア・ネットワーク外の他の市場参加体に未使用の融通性を報告及び販売することができる。融通性の購入体は、これを制御チャネル又は均衡エンティティを介して直接制御することができる。
【００４０】
エンティティに関する供給媒体の実際の需要又は実際の供給が、以前に作成された供給媒体計画と異なる可能性があることが起きる可能性もある。エンティティ、具体的には通信デバイスなどのコンピューティングデバイスは、好ましくは、供給媒体取引契約における将来の期間に対してエンティティによって合意された供給媒体の量が実際に提供されるか且つ／又は受け入れられるかどうかの定期的なチェックを好ましくは行うように構成されることができる。例えば、チェックは、供給媒体取引契約で指定された期間の前の所定の時点で及び／又は供給媒体の実際の交換中に、例えば指定された交換量と測定されることができる実際の交換量とを比較することによって、実行されることができる。
【００４１】
差異がエンティティから検出される場合、通信デバイスは、好ましくは、別のエンティティ及び／又はピアツーピア・ネットワークの外部のエンティティとの、検出された差異に関する更なる供給媒体取引契約の生成を引き起こすことができる。
【００４２】
本発明の更なる態様は、システム、具体的には前述のシステム、を動作させる方法である。システムは、少なくとも１つの物理的供給チャネルネットワークに接続可能な第１のエンティティと、物理的供給チャネルネットワークに接続可能な少なくとも１つの更なるエンティティと、ピアツーピア・アプリケーションを提供するように構成される少なくとも１つのピアツーピア・ネットワークとを備える。方法は、
−  ピアツーピア・アプリケーションを使用して第１のエンティティと他のエンティティとの間の供給媒体の物理的交換に関する少なくとも１つの供給媒体取引契約の生成を引き起こすステップ
を備える。
【００４３】
更なる態様は、少なくとも１つの物理的供給チャネルネットワークに接続可能な第１のエンティティ用の通信デバイスであり、その通信デバイスは、
−  ピアツーピア・アプリケーションを提供するピアツーピア・ネットワークと通信するように構成される少なくとも１つの通信モジュールを備え、
−  通信モジュールは、ピアツーピア・アプリケーションによって第１のエンティティと更なるエンティティとの間の供給媒体の物理的交換に関する供給媒体取引契約を生成させる、
ように構成される。
【００４４】
前述のシステムの各エンティティは、好ましくはこの種の通信デバイスを備えることができる。通信デバイスは、少なくとも部分的にはハードウェア及び／又はソフトウェアから形成されることができる。
【００４５】
本発明の更なる態様は、少なくとも１つの物理的供給チャネルネットワークに接続可能な第１のエンティティのための通信デバイスを動作させる方法であり、その方法は、
−  ピアツーピア・アプリケーションを使用して第１のエンティティと更なるエンティティとの間の供給媒体の物理的交換に関する供給媒体取引契約の生成を引き起こすステップ
を伴う。
【００４６】
方法は、具体的には、前述の通信デバイスを動作させるために使用されることができる。
【００４７】
本発明の更に別の態様は、通信デバイスが前述の方法に従って動作されるような方法でプロセッサ上において実行されることができる命令を有するコンピュータプログラムである。
【００４８】
更なる態様は、
−  物理的供給チャネルネットワークに接続可能な第１のエンティティの通信デバイスから少なくとも１つのメッセージを受信する手段であって、第１のエンティティからのメッセージは、第１のエンティティと更なるエンティティとの間の供給媒体の物理的交換に関する供給媒体取引契約の生成が引き起こされることができることを意味する、手段と、
−  メッセージを受信すると供給媒体取引契約を生成する手段と、
を備えるピアツーピア・アプリケーションである。
【００４９】
ピアツーピア・アプリケーションは、具体的には、前述のシステムで使用されることができる且つ／又は前述の通信デバイスによって制御されることができる。ピアツーピア・アプリケーションはハードウェア及び／又はソフトウェアから少なくとも部分的に作成されることができる。具体的には、本発明によるピアツーピア・アプリケーションはブロックチェーン技術に基づくとすることができる。
【００５０】
本発明の更なる態様は、
−  少なくとも１つのメッセージを物理的供給チャネルネットワークに接続可能な第１のエンティティの通信デバイスから受信するステップであって、第１のエンティティからのメッセージは、供給媒体の物理的交換に関する供給媒体取引契約の生成が第１のエンティティと更なるエンティティとの間に引き起こされることができるということを意味する、ステップと、
−  メッセージを受信すると供給媒体取引契約を生成するステップと、
を備えるピアツーピア・アプリケーションを動作させる方法である。
【００５１】
方法は、具体的には前述のピアツーピア・アプリケーションを動作させるために提供されることができる。
【００５２】
本発明の更に別の態様は、ピアツーピア・アプリケーションが前述の方法に従って動作されるような方法でプロセッサ上において実行されることができる命令を有するコンピュータプログラムである。
【００５３】
方法、システム又はネットワーク、デバイス、及びコンピュータプログラムの特徴は、互いに自由に組み合わされることができる。具体的には、明細書及び／又は従属請求項の特徴は、従属請求項の特徴が完全に又は部分的に無効にされる場合であっても、単独で独立に発明的である可能性があるか又は互いに自由に組み合わせ可能とすることができる。
【００５４】
本発明による方法、本発明によるシステム、本発明によるデバイス、及び本発明によるコンピュータプログラムの構成及び展開には、複数の可能性がある。この点に関して、第１に、独立請求項に従属する請求項を参照し、第２に、図面に関連して例示的実施形態の説明を参照する。
【図面の簡単な説明】
【００５５】
【図１】従来技術による供給システムの例示的な実施形態の概略図を示す。
【図２】本発明によるシステムの例示的な実施形態の概略図を示す。
【図３】本発明による例示的な通信デバイスを備える、本発明によるエンティティの例示的な実施形態の概略図を示す。
【図４】本発明によるピアツーピア・アプリケーションの例示的な実施形態の概略図を示す。
【図５】本発明によるシステムの更なる例示的な実施形態の概略図を示す。
【図６】本発明によるシステムの更なる例示的な実施形態の概略図を示す。
【図７】本発明による方法の例示的な実施形態の図を示す。
【図８】本発明による方法の更なる例示的な実施形態の図を示す。
【図９】本発明による方法の更なる例示的な実施形態の図を示す。
【図１０】本発明による方法の更なる例示的な実施形態の図を示す。
【発明を実施するための形態】
【００５６】
図において、同じ参照番号が同じ要素に対して使用される。
【００５７】
図２は、本発明によるシステム２００、具体的には供給システム２００、の例示的な実施形態の概略図を示す。供給システム２００は、給電ネットワーク、ガス供給ネットワーク、給水ネットワーク、又は地域暖房ネットワークとすることができる。
【００５８】
本システム２００は、一例として、第１のエンティティ２０４及び更なるエンティティ２０６を備える。２つ以上のエンティティ２０４、２０６が設けられることができることが理解されるべきである。エンティティ２０４、２０６は、建物、家、プラント又は機械、電子ユニットなどとすることができる。
【００５９】
更に、分かるように、各エンティティ２０４、２０６は、エンティティ２０４、２０６を供給チャネルネットワーク２０２に接続するように構成される少なくとも１つの接続２０８を備える。接続２０８は、例えばスイッチ、バルブなどによって切断可能とすることができる。供給チャネルネットワーク２０２のタイプは供給システム２００のタイプに依存する。ガス供給ネットワーク２００において、ネットワーク２０２は、例えばガス用のパイプラインネットワーク２０２とすることができる。適切な接続２０８は、電気ネットワーク、地域暖房ネットワーク又は水ネットワーク用に、それらに応じて設けられることができる。エンティティは、複数の供給システム２００の一部とすることができることが理解されるべきである。
【００６０】
図１によるシステム１００などの従来技術のシステムと比較して実質的な違いは、中央インスタンスが設けられないということである。この場合、システム２００は、ピアツーピア・ネットワーク２２２又はコンピュータ−コンピュータ・ネットワーク２２２を有する。ピアツーピア・ネットワーク２２２は、複数のノード２２６．１〜２２６．３又はコンピュータ２２６．１〜２２６．３を備える。ピアツーピア・ネットワーク２２２は、この場合、各ノード及び／又は参加体が、好ましくは他の全てのノード及び／又は参加体に接続されることを特徴とする。更に、コンピュータは同等の権限を有し、それはコンピュータをサーバ−クライアント構造から区別する。
【００６１】
図示の３つのノード２２６．１〜２２６．３、例えばコンピュータ２２６．１〜２２６．３、はピアツーピア・アプリケーション２２４を（それぞれ）備える。分かるように、同じピアツーピア・アプリケーション２２４が各ノード２２６．１〜２２６．３上で実装される。ピアツーピア・アプリケーション２２４は、好ましくは、特にピアツーピア・ネットワーク２２２の（ノードだけでなく）全ての参加体によって検査されることができるパブリックレジスタ２２４とすることができる。各ノード２２６．１〜２２６．３は、好ましくは、（全ての）パブリックレジスタ２２４を有する。レジスタの一部のみがノード上に設けられることを想像することもできる。特に好ましい実施形態では、ピアツーピア・アプリケーション２２４はブロックチェーン２２４とすることができる。
【００６２】
更に、この場合、各エンティティ２０４、２０６は通信デバイス２２０．１、２２０．２を有することが分かる。通信デバイス２２０．１、２２０．２は、少なくともピアツーピア・ネットワーク２２２、すなわちノード２２６．１〜２２６．３と通信するように構成される。換言すると、通信デバイス２２０．１、２２０．２又はこの通信デバイス２２０．１、２２０．２に対応するエンティティ２０４、２０６は、ピアツーピア・ネットワーク２２２の少なくとも参加体である。この場合、ピアツーピア・ネットワーク２２２の全ての参加体は、好ましくはピアツーピア・ネットワーク２２２の各参加体に知られている。
【００６３】
この場合、第１の通信デバイス２２０．１はピアツーピア・ネットワーク２２２内のノード又はコンピュータである。従って、通信デバイス２２０．１は、同様に、ピアツーピア・アプリケーション２２４を備える。この場合、エンティティ２０４、２０６間の供給媒体の交換に関する供給媒体取引契約は、改ざん防止方法でピアツーピア・アプリケーション２２４を使用して生成されることができる。この目的のために、各通信デバイスは、供給媒体取引契約の生成を引き起こすために、ピアツーピア・アプリケーション２２４と通信することができる。電流もしくは電力、淡水もしくは廃水などの水、天然ガスもしくは類似の（可燃性）ガスなどのガス媒体、例えば熱気の形態での温熱、及び／又は例えば冷気の形態での冷熱などの供給媒体は、生成された契約に従って、その後移動されることができる。
【００６４】
本発明によるピアツーピア・アプリケーションの例示的な実施形態は、システムの動作モードと同じ方法で以下により詳細に説明される。
【００６５】
以下の例示的な実施形態は、電力ネットワークの形態での供給システムの改良された実証に関する。しかしながら、本発明はこれに限定されない。具体的には、以下の実施形態は、ガス供給ネットワーク、給水ネットワーク、又は地域暖房ネットワークなどの他の供給システム又はネットワークに変えられることができる。
【００６６】
図３は本発明によるエンティティ３０４の例示的な実施形態の概略図を示し、エンティティ３０４は本発明による通信デバイス３２０の例示的な実施形態を備える。
【００６７】
エンティティ３０４は建物３０４又は家３０４とすることができる。エンティティ３０４は、接続３０８を介して供給チャネルネットワーク３０２に接続されることができる。供給チャネルネットワーク３０２は、電気エネルギーライン、変圧器などを備える電流ネットワーク３０２とすることができる。
【００６８】
更に、この例示的な実施形態では、エンティティ３０４の内部電力回路３３２は、接続３０８を介して公共又は民間電気ネットワーク３０２に接続される。
【００６９】
一例として、２つの電気消費体３１０．１、３１０．２が電気回路３３２に接続されている。電気消費体３１０．１、３１０．２の非網羅的な例は、冷蔵庫、照明システム、テレビ、コンピュータ、洗濯機、厨房機器などである。エンティティ３０４は３つ以上の電気消費体３１０．１、３１０．２を備えることができることが理解されるべきである。
【００７０】
電気消費体３１０．１、３１０．２とは別に、この場合のエンティティ３０４は、光起電デバイス３１４の形態での電気生成体３１４を備える。代替的に又は追加的に、マイクロ風力タービン、ＣＨＰ（熱電併給）などのような他の電気生成体が設けられることができることが理解されるべきである。生成体３１４によって供給される電力は、消費体３１０．１、３１０．２によって消費される、バッテリなどの電気エネルギー貯蔵装置３３４に（一時的に）格納される、且つ／又は電気ネットワーク３０２に供給されることができる。
【００７１】
更に、この場合、計量デバイス３３０が電気回路３３２に接続されている。計量デバイス３３０は、電気ネットワーク３０２から取得された電力の量及び電気ネットワーク３０２に供給された電力の量を測定するために、メータを備えることができる。１つの実施形態では、計量デバイス３３０は少なくとも２つのメータを備えることができる。２つのメータは、共通の筐体に組み立てられるか又は別々のユニットを形成することができる。３つ以上のメータが設けられることもできることが理解されるべきである。
【００７２】
２つのメータの利点は、具体的には、エンティティ３０４が、一方では、ネットワーク事業者の中央サーバなどの中央インスタンスとの（基本的な）供給媒体取引契約を生成することができ、他方では、ピアツーピア・ネットワークを使用して他のエンティティとの個々の供給媒体取引契約を生成することができるということである。供給媒体取引契約をそれぞれの電力の流れ又は電流の流れに明確に割り当てることができるようにするために、１つのメータは例えば総量を記録することができ、且つ少なくとも１つの更なるメータは、個々の供給媒体取引契約が締結されている期間中に流れる量／量（複数）を記録することができる。その後、電力の、供給され又は受け取られ且つ測定された量の、様々な供給媒体取引契約への明確な割り当ては、コンピュータによる演算によって決定されることができる。
【００７３】
更なる計量デバイスが、例えば、個々の消費体の消費又は生成体によって供給される電力を個々に測定するために、設けられることができることが理解されるべきである。
【００７４】
エンティティ３０４は通信デバイス３２０を更に備える。通信デバイス３２０は、例えば、コンピュータなどのコンピューティングデバイスの少なくとも一部とすることができる。具体的には、通信デバイスは、少なくとも部分的にソフトウェアモジュールから及び／又は少なくとも部分的にハードウェアモジュールから形成されることができる。
【００７５】
通信デバイス３２０は、具体的には、通信リンク３３８を介してピアツーピア・ネットワークと（双方向に）通信するために、通信モジュール３４２を有する。更に、通信デバイス３２０は、通信モジュール３４２に接続可能な処理モジュール３４４を有することができる。処理モジュール３４４は、少なくとも、ピアツーピア・アプリケーション互換メッセージを生成するように構成されることができる。更に、処理モジュール３４４は、少なくとも１つのデータ入力を有することができる。例えば、計量デバイス３３０への内部通信接続３３６が設けられることができる。更に、気象データ源などのような外部データ源からのデータは、通信ネットワーク３４０を介して処理モジュール３４４によって受信され、且つ、具体的には、処理されることができる。通信デバイスは、他の施設への更なるインタフェースを備えることもできる。具体的には、表示装置及び／又は入力手段などのユーザインタフェースが設けられることができる。通信デバイス３２０の動作モードの詳細な説明が以下に提供される。
【００７６】
更に、有利な実施形態では、天気予報及び／又は市場データなどのデータは、ピアツーピア・アプリケーションからのいわゆるフィードによって各ピアに利用可能にされることができることが指摘されるべきである。例えば、参加体は、１つ又は複数の気象データ供給体に関して契約した可能性がある。この場合、少なくとも１つの気象データ源は、天気予報データをピアツーピア・アプリケーションに送信することができる。気象源は、ピアの少なくとも一部によって検証されている可能性がある。次いで、同じ気象データは、好ましくは、各ピアへピアツーピア・アプリケーションを使用して利用可能にされる。エンティティ用の供給媒体計画は、他の気象データに基づいて作成されることができることが理解されるべきである。
【００７７】
図４は、本発明によるピアツーピア・アプリケーション４２４の例示的な実施形態の概略図を示す。ピアツーピア・アプリケーション４２４は、具体的には、ピアツーピア・ネットワーク４２４の参加体によって検査される／見える可能性があるレジスタであり、メッセージは、ピアツーピア・ネットワークのエンティティ又は参加体によって書き込まれる且つ／又は読み取られることができる。好ましい例示的実施形態では、ピアツーピア・アプリケーション４２４はブロックチェーン４２４とすることができる。
【００７８】
以下のこの例示的な実施形態のより詳細な説明では、ピアツーピア・アプリケーション４２４はブロックチェーン４２４であると仮定する。しかしながら、以下の実施形態は他のピアツーピア・アプリケーションに容易に変えられることができる。
【００７９】
ブロックチェーン４２４は、少なくとも１つのブロック４４６〜４５０、好ましくは互いに接続される複数のブロック４４６〜４５０から形成される。最初のブロック４４６は起源ブロック４４６とも呼ばれることができる。分かるように、ブロック４４８、４５０（最初のブロックを除く）は、いずれの場合にも先行するブロック４４６、４４８に関連する。新しいブロックは、計算集約型処理によって（例えば、マイニング又は対応する処理によって）作成され、且つ、具体的には、ピアツーピア・ネットワーク内の全ての参加体に提供されることができる。
【００８０】
このブロックチェーン４２４は、具体的には、ピアツーピア・ネットワーク内の参加体の通信デバイスからメッセージを受信し、このメッセージをブロックチェーン４２４に格納するように構成される。パブリックレジスタ４２４としてのブロックチェーン４２４の実施形態に基づいて、通信デバイスからのメッセージは、好ましくは、ピアツーピア・ネットワーク内の全ての参加体によって読み取られることができる。
【００８１】
このブロックチェーン４２４では、例えば、様々な種類のメッセージは、スマートコントラクト内で処理及び／又は格納（ブロックチェーンでのアルゴリズム及び／又は格納）されることができる。メッセージ４５２は、例えば照会メッセージ４５２とすることができる。照会メッセージは以下のデータを備えることを特徴とする。
量の指標：  エンティティによって要求されるか又はエンティティが利用可能な供給媒体の量
時間指標：  示された供給量が必要とされるか又は利用可能にされる将来の期間
取引基準：  示された量及び期間に対しての供給媒体取引契約を締結するために、他のエンティティによって満たされる必要がある基準
【００８２】
他の取引基準が定義されることができることが理解されるべきである。他の指標は、例えば、タイムスタンプ、メッセージ送信体からの署名、メッセージＩＤ、及び所望の種類の生成又は消費の指標、エンティティからの距離などのような他の取引基準とすることができる。
【００８３】
更なるメッセージ４５４は受諾メッセージ４５４とすることができる。受諾メッセージは、照会メッセージと同じ又は少なくとも類似のデータを有することができる。更に、受諾メッセージ４５４は、照会メッセージのＩＤなどの先行する照会への参照を備えることができる。例えば、所与の且つ所望の供給媒体の量が取引基準に基づいて将来の期間にわたって供給されることができることが、照会メッセージに関連して受諾メッセージに列挙されることができる。量は必要量の部分量とすることができる。時間指標は、部分時間指標とすることができる。同様に、より低い／より高い取引基準が指定されることができる。
【００８４】
受諾メッセージが要求量の部分量、部分時間指標、及び／又はより小さい／より高い／他の取引基準のみを備える場合、受諾メッセージはカウンタオファー・メッセージと呼ばれることができる。これは、受諾メッセージにより第１のエンティティによって受諾されることができる。これに基づいて、エンティティは供給媒体取引契約の生成を引き起こすことができる。
【００８５】
具体的には、複数の照会メッセージ及び／又は受諾メッセージが存在することができる。各エンティティは、それに従って少なくとも１つの供給媒体取引契約を生成することができる仕様を提供することができる。好ましくは自動的な、例えば反復的な、処理では、各照会メッセージは、最適に対応する照会メッセージに割り当てられることができる。更に、ブロックチェーン４２４は、メッセージに基づいて且つエンティティの関与と共に、供給媒体取引契約４５６を生成するように構成されることができる。
【００８６】
供給媒体取引契約４５６は、ブロック４４８内のスマートコントラクト４５６内に格納されることができる。スマートコントラクトはコンピュータプログラムコードを備えることができる。供給媒体取引契約では、所与の期間の間及び／又は所与の価格などの取引基準に対する供給媒体の所与の量の交換及び供給又は受領は、第１のエンティティと更なるエンティティとの間で合意されることができる。例えば、第１のエンティティは、ブロックチェーンを用いて、第１のエンティティが、更なるエンティティに、電気ネットワークを介して所与の量の電力（ＸｋＷ／ｈ）で、時間ＴＸの間に量Ｘを供給するという更なるエンティティとの契約の生成を引き起こすことができる。対応する供給媒体取引契約は、他の供給システムにおいて生成されることができる。
【００８７】
加えて、供給媒体取引契約の履行後に事前に合意された量の暗号通貨の取引などの取引基準取引４５８がブロック４５０に格納されることができる。この目的のために、供給媒体取引契約が締結したエンティティの対応する計量データ４６０も、特に供給媒体の量が契約に従って供給され且つ受け取られたかどうかについてのピアツーピア・ネットワークを介しての確認を実行するために、ブロックチェーン４２４に格納されることができる。計量データは、具体的には、指定された期間中にエンティティの計量デバイスによって実際に測定された供給媒体量である。
【００８８】
具体的には、ピアツーピア・アプリケーション４２４は、格納されたメッセージを改ざん防止方法で格納するように構成される。これは、本質的に、例えば供給媒体取引契約が全ピアツーピア・ネットワークの累積処理能力によって、全ピアツーピア・ネットワークを通して確認されることができることを伴う。
【００８９】
供給媒体取引契約などの少なくとも先に説明したメッセージは、好ましくは、マークル木を介してブロックチェーンのブロックにおいて対で一緒にハッシュされることができる。具体的には、最後のハッシュ値（ルートハッシュとも呼ばれる）のみがブロックのヘッダ内にチェックサムとして書き留められることができる。その後、ブロックは前のブロックに連鎖されることができる。ブロックの連鎖は、このルートハッシュの助けを借りて実行されることができる。各ブロックは、前の全ブロックヘッダのハッシュをヘッダに含むことができる。これは、ブロックの列が明確に定義されることを可能にする。更に、先行するブロック又は先行するブロックに格納されたメッセージの後続の修正は、それにより、後続の全てのブロックのハッシュが具体的には同様に短時間で再計算されなければならないであろう故に、（実質的に）排除されることができる。
【００９０】
図５は、システム５００、具体的には給電システム５００、の更なる例示的な実施形態の概略図を示す。大幅に簡略化された形態で示されている供給システム５００は、この場合、７つのエンティティ５０４、５０６、５６４〜５７２を備える。全てのエンティティ５０４、５０６、５６４〜５７２は、少なくとも供給チャネルネットワーク５０２、具体的には電気ネットワーク５０２、に接続されることができる。
【００９１】
更に分かるように、エンティティ５０４、５０６、５６４〜５７２又はそれらのそれぞれの通信デバイス（図示せず）は、ピアツーピア・アプリケーション（図示せず）、例えば図４によるブロックチェーン４２４、を提供するピアツーピア・ネットワーク５２２を作成する。
【００９２】
第１のエンティティ５０４は複数の電気消費体を備える家５０４とすることができる。従って、第１のエンティティ５０４はまた、電気消費体５０４とも呼ばれることができる。従って、第１のエンティティ５０４は、供給媒体に対する需要を有し、対応する照会及び／又は受諾メッセージを生成し、それらをまたピアツーピア・ネットワーク５２２に送信することができる。更なるエンティティ５０６は、同様に、家５０６、具体的には生成消費体５０６、とすることができる。生成消費体５０６として、他のエンティティは、電気ネットワーク５０２に電力を供給することができ、且つ電気ネットワーク５０２から電力を受け取ることもできる。生成消費体は、対応する照会及び／又は受諾メッセージを生成し、それらをピアツーピア・ネットワーク５２２に送信することができる。
【００９３】
更なるエンティティ５６４は、風力タービン５６４などの分散型生成体５６４とすることができる。言い換えれば、エンティティ５６４は電気ネットワーク５０２に電力を供給するように構成される。エンティティ５６４は対応するメッセージを生成することができ、後続のエンティティも、対応するメッセージを生成することができる。更に、バッテリ５６６などの電気貯蔵装置５６６はエンティティ５６６として存在することができる。貯蔵装置５６６は、具体的には、電気ネットワーク５０２における過剰容量の故に、過剰容量を一時的に格納し、電力に対する需要がある場合にその過剰容量を再び供給するように構成されることができる。更に、エンティティ５６８は、電気作動式機械５６８、例えば、ＩｏＴデバイスなどの（スマート）電気消費体５６８とすることができる。エンティティ５７０は、例えば、複数の電気消費体及び／又は１つもしくは複数の生成体を有するビジネス５７０とすることができる。最後に、均衡エンティティ５７２がエンティティ５７２として提供されるが、これは以下に、より詳細に説明される。
【００９４】
図６は、システム６００、具体的には給電システム６００、の更なる例示的な実施形態の概略図を示す。図５における例として示されているものなどの供給システムと比較された相違点のみが以下に説明される。エンティティ６０４．１〜６７２．２は、前述のエンティティと同じ、類似の、又は異なるエンティティとすることができることが指摘されるべきである。
【００９５】
前の例とは異なり、この場合、２つの異なる種類のピア又はノードコンピュータ６０４．１、６６４．１、６６６．１、又は６０６．２、６６８．２、６７０．２、及び６７２．２が示されている。全てのピア６０４．１〜６７２．２はピアツーピア・ネットワーク６２２に含まれる。しかしながら、この例示的な実施形態では、ピア６０４．１〜６７２．２のうちの一部のみ、この場合ではピア６０４．１、６６４．１、６６６．１が、媒体取引契約などのピアツーピア・アプリケーションに格納されているメッセージの妥当性をチェックする。また、ピアの一部のみが全ピアツーピア・アプリケーションを格納し、且つ／又はピアのうちの一部のみがスマートコントラクトのアルゴリズムを実行することが提供されることができる。検証は相当量の計算作業を伴う可能性があるので、効率的な理由から、ピア６０４．１、６６４．１、６６６．１のうちの一部、具体的には特に強力なピア６０４．１、６６４．１、６６６．１が検証を実行することが有利である可能性がある。「強力な」とは、具体的には高い処理能力を指す。換言すれば、この場合、ピア６０４．１、６６４．１、６６６．１のうちの一部が肯定的な結果を達成した場合に（のみ）、ブロックチェーンなどのピアツーピア・アプリケーションにおける有効なエントリが想定される。単一のピア、特に強力なピア、が検証を単独で実行することもできることは言うまでもない。
【００９６】
同様に、代替の実施形態（図示せず）では、特に大きなピアツーピア・ネットワークは２つ以上のクラスタに分割されることができることが提供されることができる。対応するピアツーピア・ネットワークに関して、検証は、例えばクラスタのメンバーによってのみ実行されることができる。
【００９７】
本発明による例示的なシステムの様々な構成要素の動作モードは図７〜図１０を用いてより詳細に以下で説明される。
【００９８】
図７は、具体的には、図４によるブロックチェーン４２４などのピアツーピア・アプリケーションによって実行されることができる方法のフローチャートを示す。
【００９９】
第１のステップ７０１において、ピアツーピア・アプリケーションは、エンティティから供給媒体の交換に関するメッセージを受信する。メッセージの非網羅的な例は、照会又は受諾メッセージ、供給媒体取引契約、計量データメッセージ、取引基準取引メッセージなどである。これらは、その後、例えば、今しがた説明したように、ピアツーピア・ネットワーク内のピアのうちの少なくとも一部によって妥当性をチェックされる。
【０１００】
次のステップ７０２において、受信されたメッセージはピアツーピア・アプリケーションによって格納される。ピアツーピア・アプリケーション及びピアツーピア・ネットワークの特別な構成により、各参加体はメッセージを具体的に読むことができる。次いで、ピアツーピア・ネットワークは、全ピアツーピア・ネットワークの累積処理能力によって確認されることができる（ステップ７０３）。更なるメッセージがブロックに書き込まれることができる場合には、処理はステップ７０１を続ける。更なるメッセージがブロックに書き込まれることができない場合、ステップ７０４が開始される。ステップ７０４において、供給媒体取引契約などのブロック内のメッセージは、上述したように、マークル木によって対で一緒にハッシュされることができる。その後、処理はステップ７０１を続けることができる。
【０１０１】
図８は、エンティティ又はエンティティの通信デバイスによって具体的に実行されることができる方法の第１の例示的な実施形態の更なるフロー図を示す。
【０１０２】
第１のステップ８０１では、エンティティの供給媒体計画は将来の期間に対して提供されることができる。例えば、通信デバイスは、対応する供給媒体計画を作成するか又はこれを、エンティティのホームオートメーションシステムのホームオートメーション制御などのエンティティの別のデバイスから受信することができる。
【０１０３】
供給媒体計画の作成は、履歴データ、ユーザ入力及び／又は気象データなどの予測データ、市場データ、個人データ、並びにカレンダーデータに基づくとすることができる。例えば、測定された電流パラメータは、通信接続を介して１つ又は複数の電流計によって通信デバイスへ送信されることができる。通信デバイス及びその処理デバイスは、受信した電流パラメータを記憶デバイスに格納するように構成されることができる。送信されたパラメータは、具体的にはタイムスタンプが設けられることができる。例えば、測定された消費及び／又は生成体パラメータには、日付及び／又は時間が設けられることができる。このようにして、エネルギー消費／生成のプロファイルは以前の期間にわたって再現されることができる。その後、このプロファイルは供給媒体計画を作成するのに使用されることができる。
【０１０４】
具体的には、供給媒体計画は、この履歴データと、好ましくは、追加の気象データなどの予測データ及び／又は不在時間などのユーザデータから、翌週、翌日、次の時間などの将来の期間に対して、用意されることができる。供給媒体計画は、好ましくは、前日に、複数のサブ期間（例えば、１５分間隔、換言すれば９６サブ期間）に分割されることができる翌日に対して、それぞれの場合に、作成されることができる。
【０１０５】
供給媒体計画に加えて、少なくとも１つの取引基準が各サブ期間に対して指定されることができる。例えば、２つ以上の取引基準がサブ期間ごとに指定されることができ、その基準は、最高価格と最低価格などの最大基準と最小基準との間に位置する可能性がある。期間を指定する利点は、他のエンティティからの照会メッセージに柔軟に且つ同時に最適に反応することが可能であることである。独立に設定された基準に基づくエンティティの観点からの可能な最良の提案は、具体的には、自動的な反復処理で決定され且つ選択されることができる。好ましい生成体タイプ、エンティティへのローカル近接性なども、例えば取引基準として指定されることができる。
【０１０６】
上述のパラメータに応じて、好ましくは各サブ期間に対しての照会メッセージは、通信デバイスによって生成され、ステップ８０２でピアツーピア・ネットワークに送信されることができる。代替的又は追加的に、エンティティ又はその通信デバイスは、ピアツーピア・アプリケーション内の他のエンティティからの照会メッセージを検出する／読み取ることができ、前述のパラメータ及び読み取られたメッセージのパラメータに基づいて、受諾メッセージをピアツーピア・ネットワークに送信することができる。
【０１０７】
ステップ８０４において、更なるエンティティとの供給媒体取引契約の生成は、ピアツーピア・アプリケーションを使用してエンティティによって、具体的には別のエンティティとの合意によって、引き起こされることができる。対応するメッセージは、好ましくは、エンティティのうちの少なくとも１つによってピアツーピア・ネットワークに送信されることができる。
【０１０８】
メッセージを確認するために、エンティティの公開鍵及び／又は秘密鍵が使用されることができる。
【０１０９】
図９は、本発明による別の方法の更なる図を示す。以下の方法は、図５による供給システム５００の助けを借りて例として説明される。
【０１１０】
ステップ９０１において、エンティティ５０４、５０６、５６４〜５７０は、好ましくは、各々、供給媒体計画及び関連する取引基準を作成することができる。これは上記の説明に従って行うことができる。
【０１１１】
ステップ９０２において、供給媒体取引契約の生成は、その後少なくとも１つのエンティティによって引き起こされることができる。これは、具体的には、エンティティからの照会及び受諾メッセージの交換によって先行されることができる。具体的には、複数の個別供給媒体取引契約は、ピアツーピア・アプリケーション及びピアツーピア・アプリケーションとのメッセージ交換を使用して、エンティティ５０４、５０６、５６４〜５７０の間で生成されることができる。ステップ９０２の後、エンティティ５０４、５０６、５６４〜５７０からの照会が履行されないであろうという可能性がある。例えば、１つのサブ期間又は複数のサブ期間における少なくとも１つのエンティティに関して、供給媒体の需要が存在する可能性がある。代替的又は追加的に、１つのサブ期間又は複数の（他の）サブ期間における少なくとも１つのエンティティに関して、生成された供給媒体が過剰に存在する可能性がある。これは、例えば風力タービン又は光起電システムなどの変動し易い生成体などの場合に起きる可能性がある。
【０１１２】
従って、ステップ９０３において、少なくとも部分的に不完全である少なくとも１つの照会メッセージをまだ有する少なくとも１つのエンティティ５０４、５０６、５６４〜５７０が、ピアツーピア・アプリケーションを使用して、均衡エンティティ５７２との供給媒体取引契約を生成又は締結するということが提供されることができる。均衡エンティティ５７２は、具体的には、随時、不足供給媒体量を均衡させるように及び／又は余剰供給媒体量を取り除くように構成されることができる。例えば、均衡エンティティ５７２はエネルギー供給会社などの供給会社とすることができる。代替的に且つ好ましくは、それは分散型自律組織（ＤＡＯ）とすることができる。この例示的な実施形態では、それは、例えば、複数の従来の発電所を有し、且つピアツーピア・ネットワークの一部ではないエンティティにエネルギーを送る可能性を有する電気エネルギー供給会社とすることができる。従って、均衡エンティティ５７２は、具体的には、電気ネットワークの安全で安定した運転を確実にする。危機的なネットワーク状態を防ぐことができる。電気ネットワークの容量がより最適に使用されることができる。柔軟性がより効果的に活用されることができる。
【０１１３】
既に説明したように、供給媒体取引契約は、好ましくは、翌日用にその前日に締結されることができる。ステップ９０４において、各エンティティ５０４、５０６、５６４〜５７０は、好ましくは、具体的には個々のサブ期間のそれら自体の予測の、すなわち供給媒体計画の、後の時点で新しいチェックを実行することができる。例えば、サブ期間の前の少なくとも１つの個別に決定可能な時点において、各エンティティ５０４、５０６、５６４〜５７０は、好ましくは、サブ期間に対して計画された需要／供給が実際に達成されているかどうかを確かめるためにチェックすることが提供されることができる。供給媒体取引契約の生成に続いて、合意された開始時刻まで事実上連続的なチェックが行われることができることが理解されるべきである。
【０１１４】
例えば、気象変化及び／又はユーザの行動の故に、特定のサブ期間に対して計画された供給媒体量と現在の予測供給媒体量との間に差異が検出される場合、エンティティ５０４、５０６、５６４〜５７０は、ステップ９０５において、ピアツーピア・アプリケーションを使用して、更なるエンティティ５０４、５０６、５６４〜５７０と更なる供給媒体取引契約を生成することができる。これは、具体的には検出された差異の故に起きる。例えば、生成体及び消費体が対応する差異を検出する場合、これらのエンティティは、対応する供給媒体取引契約の生成を引き起こすことができる。これにより、供給及び／又はネットワークの安定性の担保が分散的に保証されることができ、且つ、特に分散システム及びネットワークの使用が分散的に最適化されることができる。
【０１１５】
この場合、ブロックチェーンなどの本発明によるピアツーピア・アプリケーションの構成により、供給媒体取引契約におけるその後の変更は不可能であるが、以前の供給媒体取引契約が少なくとも不完全に履行されることが確認される場合、更なる供給媒体取引契約が生成される必要がある。
【０１１６】
ステップ９０５において、エンティティ５０４、５０６、５６４〜５７０からの照会が履行されることができなかった場合、供給媒体取引契約はステップ９０３に従ってステップ９０６で生成されることができる。
【０１１７】
次のステップ９０７において、各エンティティ５０４、５０６、５６４〜５７０は、好ましくは、供給媒体取引契約で指定されたそれぞれのサブ期間中に、（現在測定された）供給媒体の実際の値が供給媒体取引契約で指定された供給媒体量と一致するかどうかをチェックすることができる。例えば、気象及び／又は市場の変化並びに／あるいはユーザの行動による差異が識別される場合、この差異は、ステップ９０８において、現在の差異を同様に検出した他のエンティティとの供給媒体取引契約の（直接的な）生成によって均衡される且つ／又は均衡エンティティ５７２によって直接均衡されることができる。供給ネットワークの安全で安定した動作は分散型で達成されることができる。
【０１１８】
図１０は、本発明による方法の更なる例示的な実施形態を示す。具体的には、方法は、供給媒体取引契約に従って供給媒体の交換が既に行われた場合に実装されることができる。
【０１１９】
第１のステップ１００１において、期間ＴＸ中に受け取られたエネルギー量は、第１のエンティティ、具体的には第１のエンティティの通信デバイス、に供給されることができる。エネルギー量は、好ましくは計量デバイスによって供給されることができる。計量デバイスは、少なくとも期間ＴＸの間、電気ネットワークから得られる電力（ＸｋＷ／ｈ）を測定することができる。好ましくは、これに平行して、ステップ１００２において、期間ＴＸの間に供給されるエネルギー量は、更なるエンティティ、具体的には更なるエンティティの通信デバイス、に供給されることができる。例えば、これは前述したように計量デバイスを使用して行われる。
【０１２０】
ステップ１００３及びステップ１００４において、供給媒体量が第１のエンティティと更なるエンティティとの間の供給媒体取引契約に従って交換されたかどうかが、各々の場合にピアツーピア・アプリケーションを使用してチェックされることができる。例えば、測定されたエネルギー供給量は、それぞれのエンティティによってピアツーピア・アプリケーションに送られることができる。その後、全ピアツーピア・ネットワークがチェックを実行することができる。
【０１２１】
チェックの結果に応じて、第１のエンティティは、ステップ１００５において、合意された価格の全て（又は一部のみ）を暗号通貨の形態で送金することができる。ステップ１００６において、他のエンティティが送金された暗号通貨を受け取る。ステップ１００５及びステップ１００６はまた、特に改ざん防止方法でピアツーピア・アプリケーションによって前の説明に従って実行される。特に、先に説明した妥当性チェックは、ピアのうちの少なくとも一部によって実行されることができる。
【０１２２】
全ピアツーピア・ネットワークは、好ましくは、エネルギー量が正しいか及び／又は送金が正しく実行されたかどうか、例えば、第１のエンティティは実際に暗号通貨の所有者であったかを、累積処理能力を使用してチェックすることができる。
【０１２３】
ネットワーク事業者は、計量データに基づいて、実際に測定された計量値を、その後例えば月に一回、週に一回などで公表し、これから、ピアツーピア・アプリケーションにおいて測定された量に関して実際に交換された供給媒体量に調整を行うということが提供されることもできる。この調整は、ピアツーピア・アプリケーションを使用して、例えばエンティティ間で相殺されることもできる。
【図１】
0006483929.tif 000002
【図２】
0006483929.tif 000003
【図３】
0006483929.tif 000004
【図４】
0006483929.tif 000005
【図５】
0006483929.tif 000006
【図６】
0006483929.tif 000007
【図７】
0006483929.tif 000008
【図８】
0006483929.tif 000009
【図９】
0006483929.tif 000010
【図１０】
0006483929.tif 000011